(57)【要約】【課題】有線ＬＡＮと無線ＬＡＮ機能を複数有する通信装置において、どちらか一方のネットワークインタフェースを排他的に切り替えて使う場合に、有効にするネットワークインタフェースの決定をより柔軟に行うことができる通信装置を提供する。【解決手段】有線ＬＡＮおよび無線ＬＡＮの複数の通信機能を切り替えて使用できる通信装置であって、有線ＬＡＮまたは無線ＬＡＮを有効化または無効化するネットワークインタフェース制御手段２と、有線ＬＡＮの通信可否状態に変化があったことを検知し、通信可否状態を取得することができる有線ＬＡＮ通信可否取得手段３と、有線ＬＡＮ通信可否取得手段３により取得した有線ＬＡＮの通信可否状態と機器が持つ複数の条件から一つのネットワークインタフェースのみを有効とするネットワークインタフェース決定手段１とを備える。【選択図】図１
2013141170.tif 000002
【特許請求の範囲】
【請求項１】
有線ＬＡＮおよび無線ＬＡＮの複数の通信機能を切り替えて使用できる通信装置であって、
有線ＬＡＮまたは無線ＬＡＮを有効化または無効化するネットワークインタフェース制御手段と、
有線ＬＡＮの通信可否状態に変化があったことを検知し、通信可否状態を取得することができる有線ＬＡＮ通信可否取得手段と、
該有線ＬＡＮ通信可否取得手段により取得した有線ＬＡＮの通信可否状態と機器が持つ複数の条件から一つのネットワークインタフェースのみを有効とするネットワークインタフェース決定手段と、
を備えたことを特徴とする通信装置。
【請求項２】
ネットワーク設定の変更を検知し、前記機器に設定されているネットワーク設定値を取得するネットワーク設定取得手段とを備え、
有効とするネットワークインタフェースを決定する条件として、前記ネットワーク設定取得手段により取得した前記ネットワーク設定を含めることを特徴とする請求項１記載の通信装置。
【請求項３】
前記機器の電力状態に変更があったことを検知し、電力状態を取得することができる電力状態取得手段とを備え、
有効とするネットワークインタフェースを決定する条件として、前記電力状態取得手段により取得した前記機器の電力状態を含めることを特徴とする請求項１または２記載の通信装置。
【請求項４】
前記電力状態取得手段により取得した前記機器の電力状態が有線ＬＡＮを有効にできる電力状態の場合のみ、有線ＬＡＮへの切り替え処理を行う前記ネットワークインタフェース決定手段とを備えたことを特徴とする請求項３記載の通信装置。
【請求項５】
前記電力状態取得手段により取得した前記機器の電力状態が無線ＬＡＮを有効にできる電力状態の場合のみ、無線ＬＡＮへの切り替え処理を行う前記ネットワークインタフェース決定手段とを備えたことを特徴とする請求項３または４記載の通信装置。
【請求項６】
前記機器のエラー状態を取得するエラー状態取得手段とを備え、
有効とするネットワークインタフェースを決定する条件として、前記エラー状態取得手段により取得した前記機器のエラー状態を含めることを特徴とする請求項１〜５のいずれか１項に記載の通信装置。
【請求項７】
前記エラー状態取得手段により取得した前記機器のエラー状態から有線ＬＡＮが利用不可なエラーの発生を検知した場合、有線ＬＡＮの有効化を行わないことを特徴とする請求項６記載の通信装置。
【請求項８】
前記エラー状態取得手段により取得した前記機器のエラー状態から無線ＬＡＮが利用不可なエラーの発生を検知した場合、無線ＬＡＮの有効化を行わないことを特徴とする請求項６または７記載の通信装置。
【請求項９】
所定の時間の経過を計測する時間計測手段とを備え、
前記有線ＬＡＮ通信可否取得手段により有線ＬＡＮケーブルの状態変更を検知した場合に、前記時間計測手段により計測された所定の時間経過後も有線ＬＡＮ通信可否が継続していた場合に限り、ネットワークインタフェースの切り替え判断を行うことを特徴とする請求項１〜８のいずれか１項に記載の通信装置。
【発明の詳細な説明】
【技術分野】
【０００１】
本発明は、通信装置に関し、さらに詳しくは、有線ＬＡＮと無線ＬＡＮを切り替える装置に関する。
【背景技術】
【０００２】
従来、有線通信機能(有線ＬＡＮ)と無線通信機能(無線ＬＡＮ)とを有する通信装置において、有線ＬＡＮと無線ＬＡＮの両方を併用して利用する構成や、省電力のために排他的にどちらか片方のネットワークインタフェースのみを有効にするような構成が考えられ、既に知られている。
【０００３】
特許文献１には、ユーザの手間を省く目的で、有線ＬＡＮと無線ＬＡＮ機能を備えたネットワーク端末において、ユーザ操作による明示的なネットワークインタフェースの切り替え設定を行わずに、有線ＬＡＮケーブルの挿抜だけで、有線ＬＡＮケーブルの接続状態を検知して、有線ＬＡＮと無線ＬＡＮを自動で切り替える技術が開示されている。
【発明の概要】
【発明が解決しようとする課題】
【０００４】
しかし、特許文献１に開示されている技術では、有線ＬＡＮケーブルの接続状況を検知して切り替え判断を行っているが、その他の条件として機器が持つ複数の条件まで含めて有線ＬＡＮ、無線ＬＡＮのどちらを有効にするかを決定する判断ができないという問題があった。
【０００５】
本発明は、上記課題を鑑みてなされたものであり、その目的とするところは、有線ＬＡＮと無線ＬＡＮ機能を複数有する通信装置において、どちらか一方のネットワークインタフェースを排他的に切り替えて使う場合に、有効にするネットワークインタフェースの決定をより柔軟に行うことができる通信装置を提供することにある。
【課題を解決するための手段】
【０００６】
かかる目的を達成するために、本発明は、以下の特徴を有することとする。
【０００７】
本発明に係る通信装置は、有線ＬＡＮおよび無線ＬＡＮの複数の通信機能を切り替えて使用できる通信装置であって、有線ＬＡＮまたは無線ＬＡＮを有効化または無効化するネットワークインタフェース制御手段と、有線ＬＡＮの通信可否状態に変化があったことを検知し、通信可否状態を取得することができる有線ＬＡＮ通信可否取得手段と、該有線ＬＡＮ通信可否取得手段により取得した有線ＬＡＮの通信可否状態と機器が持つ複数の条件から一つのネットワークインタフェースのみを有効とするネットワークインタフェース決定手段とを備えたことを特徴とする。
【発明の効果】
【０００８】
本発明によれば、有線ＬＡＮと無線ＬＡＮ機能を複数有する通信装置において、どちらか一方のネットワークインタフェースを排他的に切り替えて使う場合に、有効にするネットワークインタフェースの決定を有線ＬＡＮケーブルの接続状態だけでなく、機器が持つ複数の条件から柔軟に決定することができる。
【図面の簡単な説明】
【０００９】
【図１】本実施形態に係るソフトウェアの構成について説明する図である。
【図２】有線ＬＡＮの通信可否と有効化するネットワークインタフェースの判定例について説明する図である。
【図３】ネットワーク設定と有効化するネットワークインタフェースの判定例について説明する図である。
【図４】電力状態の例とネットワークインタフェース利用可否について説明する図である。
【図５】ネットワークインタフェース切り替えイベント発生時の判定について説明する図である。
【図６】本実施形態に係るネットワーク設定取得手段を含めたフローチャートである。
【図７】本実施形態に係る電力状態取得手段を含めたフローチャートである。
【図８】本実施形態に係るエラー状態取得手段を含めたフローチャートである。
【図９】本実施形態に係る時間計測手段を含めたフローチャートである。
【発明を実施するための形態】
【００１０】
以下、本実施の形態について図面により詳細に説明する。
【００１１】
図１は、本実施形態に係るソフトウェアの構成について説明する図である。ネットワークインタフェース決定手段１には、ネットワークインタフェース制御手段２と有線ＬＡＮ通信可否取得手段３とネットワーク設定取得手段４と電力状態取得手段５とエラー状態取得手段６と時間計測手段７とが接続されている。
【００１２】
ネットワークインタフェース決定手段１は、有線ＬＡＮ通信可否状態、ネットワーク設定値、機器の電力状態、機器のエラー状態から有効とするネットワークインタフェースを決定する。
【００１３】
ネットワークインタフェース制御手段２は、有線ＬＡＮ、無線ＬＡＮにＩＰアドレスを割り当ててＩＰ通信できる状態にしたり（ネットワークインタフェースの有効化）、逆にＩＰ通信できない状態にする（ネットワークインタフェースの無効化）。
【００１４】
有線ＬＡＮ通信可否取得手段３は、有線ＬＡＮの通信可否状態の変更を検知する。また、有線ＬＡＮの通信可否状態の取得を行う。ネットワーク設定取得手段４は、ネットワーク設定の変更を検知する。また、機器に設定されているネットワーク設定値の取得を行う。なお、ネットワーク設定は、ネットワーク通信を行うために必要なユーザ設定のことで、例えば、ＤＨＣＰ有効／無効、ＩＰアドレス設定、サブネットマスク、ＳＳＩＤのような設定を指す。
【００１５】
電力状態取得手段５は、機器の電力状態の変更を検知する。また、機器の電力状態の取得を行う。エラー状態取得手段６は、機器で発生しているエラー状態の取得を行う。時間計測手段７は、所定の時間の経過を計測することができる。
【００１６】
図２は、有線ＬＡＮの通信可否と有効化するネットワークインタフェースの判定例について説明する図である。
【００１７】
図２は、複数のネットワークインタフェースを持つ通信装置において、有線ＬＡＮの通信可否によって有効化するネットワークインタフェースを判定するロジック例を示している。図の例では、有線ＬＡＮが通信可の場合は有線ＬＡＮを、有線ＬＡＮが通信不可の場合は無線ＬＡＮを有効とする例を示している。有線ＬＡＮ通信可否取得手段３では、図２のような例にしたがって、有線ＬＡＮの通信可否状態の変更を検知し、通信可否状態の取得をし、ネットワークインタフェース決定手段１はネットワークインタフェースの切り替え処理を行う。
【００１８】
図３は、ネットワーク設定と有効化するネットワークインタフェースの判定例について説明する図である。
【００１９】
図３は、複数のネットワークインタフェースを持つ通信装置において、有効化するネットワークインタフェースを決定する優先順位を決めるための設定値例である。ユーザが設定する値によって、ネットワークインタフェースの切り替えをどのように行うかが決まる。ネットワーク設定取得手段４では、図３のような設定値に従って、ネットワーク設定の変更を検知し、ネットワーク設定値の取得をし、ネットワークインタフェース決定手段１はネットワークインタフェースの切り替えを行うかどうかを判断している。
【００２０】
ネットワーク設定が有線ＬＡＮと無線ＬＡＮの排他利用設定の場合のみ自動で切り替え判断を行い、それ以外の設定では自動で切り替え判断を行わないので、どちらか片方のネットワークインタフェースを使い続けたい時には、有線ＬＡＮケーブルの抜き差しを行っても、ユーザの意図に反してネットワークインタフェースの切り替え処理が走らなくなり、ユーザの利便性が向上する。
【００２１】
図４は、機器が取りうる電力状態の例とそれぞれの状態におけるネットワークインタフェースの利用可否について説明する図である。電力状態取得手段５では、図４のような電力状態を考慮して、機器の電力状態の変更を検知し、電力状態の取得をし、ネットワークインタフェース決定手段１はネットワークインタフェースの切り替えを行うかどうか判定をしている。
【００２２】
有線ＬＡＮの通信可否が変更された場合など、ネットワークインタフェースの切り替え処理を行おうとした結果、機器の電力状態により切り替えができないという状況がなくなるので、無駄にネットワークインタフェースの切り替え処理が発生せず、効率性が向上する。
【００２３】
また、無線ＬＡＮから有線ＬＡＮへの切り替え処理または有線ＬＡＮから無線ＬＡＮへの切り替え処理を行おうとした結果、機器の電力状態により切り替えができないという状況がなくなるので、無駄に有線ＬＡＮまたは無線ＬＡＮへの切り替え処理が発生せず、効率性が向上する。
【００２４】
図５は、ネットワークインタフェース切り替えイベント発生時の判定について説明する図である。図５は、ネットワークインタフェース切り替えイベントとして、有線ＬＡＮの通信可否状態の変更、ネットワーク設定値の変更、電力状態の変更が発生した場合に、どのネットワークインタフェースを有効とするかを表にまとめたものである。
【００２５】
ネットワークインタフェース切り替えイベントは、上記以外にあってもかまわない。複数の条件を見てネットワークインタフェースを自動で切り替えるかどうかを判断し、必要であれば自動で切り替えを行うところが本実施形態の技術的特徴である。
【００２６】
図６は、本実施形態に係るネットワーク設定取得手段４を含めたフローチャートである。ネットワークインタフェース設定により、有効化するネットワークインタフェースが変わるところが本実施形態の技術的特徴である。
【００２７】
ネットワークインタフェース切り替えイベントが発生して（ステップＳ１）、有線ＬＡＮの通信可否状態が変更された場合、有線ＬＡＮ通信可否取得手段３は有線ＬＡＮの通信可否状態の変更を検知し（ステップＳ２）、ネットワーク設定値が変更された場合、ネットワーク設定取得手段４はネットワーク設定値の変更を検知し（ステップＳ３）、有効とするネットワークインタフェースの決定処理を開始する（ステップＳ４）。
【００２８】
ネットワーク設定取得手段４により、ネットワーク設定が行われ（ステップＳ５）、機器に設定されているネットワーク設定値が有線ＬＡＮである場合（ステップＳ６）、ネットワークインタフェース決定手段１は有線ＬＡＮ通信可否取得手段３により、有線ＬＡＮが通信可能であるかを判断する（ステップＳ１０）。有線ＬＡＮは通信可能である場合（ステップＳ１０、Ｙｅｓ）、ネットワークインタフェース制御手段２は有線ＬＡＮを有効化する（ステップＳ１１）。有線ＬＡＮは通信可能でない場合（ステップＳ１０、Ｎｏ）、元に戻る。
【００２９】
ネットワーク設定値が有線ＬＡＮ優先である場合（ステップＳ７）、ネットワークインタフェース決定手段１は有線ＬＡＮ通信可否取得手段３により、有線ＬＡＮは通信可能であるかを判断する（ステップＳ１２）。有線ＬＡＮは通信可能である場合（ステップＳ１２、Ｙｅｓ）、ネットワークインタフェース制御手段２は有線ＬＡＮを有効化する（ステップＳ１１）。有線ＬＡＮは通信可能でない場合（ステップＳ１２、Ｎｏ）、無線ＬＡＮを有効化する（ステップＳ１３）。
【００３０】
ネットワーク設定値が無線ＬＡＮである場合（ステップＳ８）、ネットワークインタフェース制御手段２は無線ＬＡＮを有効化する（ステップＳ１３）。ネットワーク設定値が無効である場合（ステップＳ９）、元に戻る。
【００３１】
図７は、本実施形態に係る電力状態取得手段５を含めたフローチャートである。最終的に有効化するネットワークインタフェースを決定する前に電力状態を確認するところが本実施形態の技術的特徴である。
【００３２】
ネットワークインタフェース切り替えイベントが発生して（ステップＳ２１）、有線ＬＡＮの通信可否状態が変更された場合、有線ＬＡＮ通信可否取得手段３は有線ＬＡＮの通信可否状態の変更を検知し（ステップＳ２２）、ネットワーク設定値が変更された場合、ネットワーク設定取得手段４はネットワーク設定値の変更を検知し（ステップＳ２３）、電力状態が変更された場合、電力状態取得手段５は電力状態の変更を検知し（ステップＳ２３）、有効とするネットワークインタフェースの決定処理を開始する（ステップＳ２５）。
【００３３】
ネットワーク設定取得手段４により、ネットワーク設定が行われ（ステップＳ２６）、機器に設定されているネットワーク設定値が有線ＬＡＮである場合（ステップＳ２７）、ネットワークインタフェース決定手段１は有線ＬＡＮ通信可否取得手段３により、有線ＬＡＮは通信可能であるかを判断する（ステップＳ３１）。有線ＬＡＮは通信可能でない場合（ステップＳ３１、Ｎｏ）、元に戻る。
【００３４】
有線ＬＡＮは通信可能である場合（ステップＳ３１、Ｙｅｓ）、ネットワークインタフェース決定手段１は電力状態取得手段５により、有線ＬＡＮは起動可能な電力状態であるかどうかを判断する（ステップＳ３２）。有線ＬＡＮは起動可能な電力状態である場合（ステップＳ３２、Ｙｅｓ）、ネットワークインタフェース制御手段２は有線ＬＡＮを有効化する（ステップＳ３３）。有線ＬＡＮは起動可能でない電力状態である場合（ステップＳ３２、Ｎｏ）、元に戻る。
【００３５】
ネットワーク設定値が有線ＬＡＮ優先である場合（ステップＳ２８）、ネットワークインタフェース決定手段１は有線ＬＡＮ通信可否取得手段３により、有線ＬＡＮは通信可能であるかを判断する（ステップＳ３４）。有線ＬＡＮは通信可能である場合（ステップＳ３４、Ｙｅｓ）、ネットワークインタフェース決定手段１は電力状態取得手段５により、有線ＬＡＮは起動可能な電力状態であるかどうかを判断し（ステップＳ３２）、後のステップは上記と同様である。
【００３６】
有線ＬＡＮは通信可能でない場合（ステップＳ３４、Ｎｏ）、ネットワークインタフェース決定手段１は電力状態取得手段５により、無線ＬＡＮは起動可能な電力状態であるかどうかを判断する（ステップＳ３５）。無線ＬＡＮは起動可能な電力状態である場合（ステップＳ３５、Ｙｅｓ）、ネットワークインタフェース制御手段２は無線ＬＡＮを有効化する（ステップＳ３６）。無線ＬＡＮは起動可能でない電力状態である場合（ステップＳ３５、Ｎｏ）、元に戻る。
【００３７】
ネットワーク設定値が無線ＬＡＮである場合（ステップＳ２９）、ネットワークインタフェース決定手段１は電力状態取得手段５により、無線ＬＡＮは起動可能な電力状態であるかどうかを判断し（ステップＳ３５）、後のステップは上記と同様である。ネットワーク設定値が無効である場合（ステップＳ３０）、元に戻る。
【００３８】
図８は、本実施形態に係るエラー状態取得手段６を含めたフローチャートである。図７と同一のステップは、同一の番号を付して説明を省略する。有効化しようとしているネットワークインタフェースのデバイスエラーが発生していないかどうかを確認するところが本実施形態の技術的特徴である。
【００３９】
ネットワーク設定取得手段４により、ネットワーク設定が行われ（ステップＳ２６）、ネットワーク設定値が有線ＬＡＮである場合（ステップＳ２７）、ネットワークインタフェース決定手段１は有線ＬＡＮ通信可否取得手段３により、有線ＬＡＮは通信可能であるかを判断する（ステップＳ３１）。有線ＬＡＮは通信可能でない場合（ステップＳ３１、Ｎｏ）、元に戻る。有線ＬＡＮは通信可能である場合（ステップＳ３１、Ｙｅｓ）、ネットワークインタフェース決定手段１はエラー状態取得手段６により、有線ＬＡＮのデバイスエラーが発生していないかどうかを判断する（ステップＳ４１）。有線ＬＡＮのデバイスエラーが発生している場合（ステップＳ４１、Ｎｏ）、元に戻る。
【００４０】
有線ＬＡＮのデバイスエラーが発生していない場合（ステップＳ４１、Ｙｅｓ）、ネットワークインタフェース決定手段１は電力状態取得手段５により、有線ＬＡＮは起動可能な電力状態であるかどうかを判断する（ステップＳ３２）。有線ＬＡＮは起動可能な電力状態である場合（ステップＳ３２、Ｙｅｓ）、ネットワークインタフェース制御手段２は有線ＬＡＮを有効化する（ステップＳ３３）。有線ＬＡＮは起動可能でない電力状態である場合（ステップＳ３２、Ｎｏ）、元に戻る。
【００４１】
ネットワーク設定値が有線ＬＡＮ優先である場合（ステップＳ２８）、ネットワークインタフェース決定手段１は有線ＬＡＮ通信可否取得手段３により、有線ＬＡＮは通信可能であるかを判断する（ステップＳ３４）。有線ＬＡＮは通信可能である場合（ステップＳ３４、Ｙｅｓ）、ネットワークインタフェース決定手段１はエラー状態取得手段６により、有線ＬＡＮのデバイスエラーが発生していないかどうかを判断する（ステップＳ４２）。有線ＬＡＮのデバイスエラーが発生していない場合（ステップＳ４２、Ｙｅｓ）、ネットワークインタフェース決定手段１は電力状態取得手段５により、有線ＬＡＮは起動可能な電力状態であるかどうかを判断する（ステップＳ３２）。後のステップは上記と同様である。
【００４２】
有線ＬＡＮは通信可能でない場合（ステップＳ３４、Ｎｏ）または有線ＬＡＮのデバイスエラーが発生している場合（ステップＳ４２、Ｎｏ）、ネットワークインタフェース決定手段１はエラー状態取得手段６により、無線ＬＡＮのデバイスエラーが発生していないかどうかを判断する（ステップＳ４３）。無線ＬＡＮのデバイスエラーが発生している場合（ステップＳ４３、Ｎｏ）、元に戻る。
【００４３】
無線ＬＡＮのデバイスエラーが発生していない場合（ステップＳ４３、Ｙｅｓ）、ネットワークインタフェース決定手段１は電力状態取得手段５により、無線ＬＡＮは起動可能な電力状態であるかどうかを判断する（ステップＳ３５）。無線ＬＡＮは起動可能な電力状態である場合（ステップＳ３５、Ｙｅｓ）、ネットワークインタフェース制御手段２は無線ＬＡＮを有効化する（ステップＳ３６）。無線ＬＡＮは起動可能でない電力状態である場合（ステップＳ３５、Ｎｏ）、元に戻る。
【００４４】
ネットワーク設定値が無線ＬＡＮである場合（ステップＳ２９）、ネットワークインタフェース決定手段１はエラー状態取得手段６により、有線ＬＡＮのデバイスエラーが発生していないかどうかを判断し（ステップＳ４３）、後のステップは上記と同様である。ネットワーク設定値が無効である場合（ステップＳ３０）、元に戻る。
【００４５】
本実施形態によれば、有線ＬＡＮの通信可否が変更された場合など、ネットワークインタフェースの切り替え処理を行おうとした結果、機器のエラー状態により切り替えができないという状況がなくなるので、無駄にネットワークインタフェースの切り替え処理が発生せず、効率性が向上する。
【００４６】
また、無線ＬＡＮから有線ＬＡＮへの切り替え処理または有線ＬＡＮから無線ＬＡＮへの切り替え処理を行おうとした結果、機器のエラー状態により切り替えができないという状況がなくなるので、無駄に有線ＬＡＮまたは無線ＬＡＮへの切り替え処理が発生せず、効率性が向上する。
【００４７】
図９は、本実施形態に係る時間計測手段７を含めたフローチャートである。図８と同一のステップは、同一の番号を付して説明を省略する。有線ＬＡＮ通信可否状態が変更されたことを検知した場合は、所定時間待ってからネットワークインタフェースの切り替え判断を行うところが本実施形態の技術的特徴である。
【００４８】
ネットワークインタフェース切り替えイベントが発生して（ステップＳ２１）、有線ＬＡＮの通信可否状態が変更され、有線ＬＡＮ通信可否取得手段３は有線ＬＡＮ通信可否状態が変更されたことを検知した場合（ステップＳ２２）、時間計測手段７は、所定の時間の経過を計測し、所定時間待ってから（ステップＳ５１）、ネットワークインタフェース決定手段１は有効とするネットワークインタフェースの決定処理を開始する（ステップＳ２５）。後のステップは、上記と同様である。
【００４９】
例えば、有線ＬＡＮの速度設定を変更した場合などは、一旦データリンク層レベルでのネゴシエーション処理が行われて、その間有線ＬＡＮを利用して通信することができなくなる。この間に有線ＬＡＮの通信可否状態は利用可→利用不可→利用可と入れ替わる。
【００５０】
本実施形態によれば、有線ＬＡＮの通信可否状態が所定の期間内に続けて変化する場合に、状態が変化する度にネットワークインタフェースの切り替え処理を行う必要がなくなるので、無駄に無線ＬＡＮへの切り替え、有線ＬＡＮへの切り替え処理が走らなくなり、通信装置の効率性が向上する。
【符号の説明】
【００５１】
１    ネットワークインタフェース決定手段
２    ネットワークインタフェース制御手段
３    有線ＬＡＮ通信可否取得手段
４    ネットワーク設定取得手段
５    電力状態取得手段
６    エラー状態取得手段
７    時間計測手段
【先行技術文献】
【特許文献】
【００５２】
【特許文献１】特開平１０−１６４１１４号公報
【図１】
2013141170.tif 000003
【図２】
2013141170.tif 000004
【図３】
2013141170.tif 000005
【図４】
2013141170.tif 000006
【図５】
2013141170.tif 000007
【図６】
2013141170.tif 000008
【図７】
2013141170.tif 000009
【図８】
2013141170.tif 000010
【図９】
2013141170.tif 000011